(57)【要約】【課題】所望の処理に対する指示を行ない易くすることによって、ユーザの利便性を向上させた表示操作装置を提供する。【解決手段】操作ユニット１２０において、タッチパネルディスプレイ１３０は表示パネル１３２を有する。ＣＰＵ３００は、表示パネル１３２にモノクロスタートキー及びカラースタートキーを表示させ、モノクロスタートキー又はカラースタートキーに対する入力操作がなされたことに応答して、モノクロ印刷処理又はカラー印刷処理を起動する。ＣＰＵ３００はさらに、機能選択領域から所定の印刷機能が選択されて設定されたことに応答して、モノクロスタートキー及びカラースタートキーに対応付けられた処理を、設定された印刷機能を用いた印刷処理に変更する。【選択図】図３
2018019430.tif 000002
【特許請求の範囲】
【請求項１】
画像を形成する画像形成装置に搭載される表示操作装置であって、
表示面を有する表示一体型操作パネルと、
前記表示面に第１のユーザインターフェイス（ＵＩ）部品の画像を表示する第１の表示手段と、
前記第１のＵＩ部品と、前記画像形成装置の実行可能な画像形成処理のいずれかとを対応付ける対応付手段と、
前記第１のＵＩ部品に対する入力操作に応答して、前記画像形成装置に対して、前記対応付手段により当該第１のＵＩ部品に対応付けられる画像形成処理の実行開始を指示する第１の指示手段と、
ユーザの操作に応じて、前記画像形成装置の所定の画像形成機能をオンに設定するための機能設定手段と、
前記所定の画像形成機能がオンに設定されたことに応答して、前記対応付手段により前記第１のＵＩ部品と対応付けられる画像形成処理を、前記所定の画像形成機能を用いた画像形成処理に変更する対応付変更手段と、を含む、表示操作装置。
【請求項２】
前記所定の画像形成機能を用いた画像形成処理の終了に応答して、前記対応付変更手段による変更前の画像形成処理を前記対応付手段により前記第１のＵＩ部品に対応付けられる画像形成処理に復帰させる処理復帰手段をさらに含む、請求項１に記載の表示操作装置。
【請求項３】
前記所定の画像形成機能を用いた画像形成処理の実行が開始されたことに応答して、前記第１のＵＩ部品の画像に代えて、前記第１のＵＩ部品の画像と異なる第２のＵＩ部品の画像を前記表示面に表示する第２の表示手段と、
前記第２のＵＩ部品に対する入力操作に応答して、前記画像形成機能を用いた画像形成処理に関する予め定められた指示を前記画像形成装置に与える第２の指示手段をさらに含む、請求項１に記載の表示操作装置。
【請求項４】
前記所定の画像形成機能を用いた画像形成処理の実行状態に応じて、前記第２のＵＩ部品の表示態様と、前記予め定められた指示とを変化させる制御手段をさらに含む、請求項３に記載の表示操作装置。
【請求項５】
前記所定の画像形成機能を用いた画像形成処理の実行開始に応答して、前記第２のＵＩ部品をグレーアウトし、当該第２のＵＩ部品に対する入力操作を受付け不可能にする制御手段をさらに含む、請求項３に記載の表示操作装置。
【請求項６】
前記第２のＵＩ部品がグレーアウトされたことに応答して、前記第１及び第２のＵＩ部品のいずれとも異なる第３のＵＩ部品の画像を前記表示面に追加で表示する追加表示手段と、
前記第３のＵＩ部品に対する入力操作に応答して、実行中の前記所定の画像形成機能を用いた画像形成処理の停止を前記画像形成装置に指示する停止指示手段とをさらに含む、請求項５に記載の表示操作装置。
【請求項７】
前記所定の画像形成機能は、複数部のコピー印刷を行なう際に、最初に１部だけ印刷して印刷結果を確認できるようにするお試しコピー機能を含む、請求項１〜６のいずれかに記載の表示操作装置。
【請求項８】
請求項１〜請求項７のいずれかに記載の表示操作装置と、
前記表示操作装置に接続され、前記表示操作装置からの指示に応じて原稿の読取を行なって画像データに変換し出力する原稿読取部と、
前記表示操作装置及び前記原稿読取部に接続され、前記表示操作装置からの指示に応答して、前記原稿読取部が出力する画像データに基づく画像を印刷する画像形成部と、を含む、画像形成装置。
【発明の詳細な説明】
【技術分野】
【０００１】
本発明は表示操作装置、及び、それを備える画像形成装置に関し、特には、ユーザインターフェイス（ＵＩ）部品を表示する技術に関する。
【背景技術】
【０００２】
従来、表示パネルとタッチパネルとが重ねて構成される操作パネルを搭載する画像形成装置が知られている。このような操作パネルにおいて、ユーザは、表示パネル上にＵＩ部品として表示されるソフトウェアキーをタッチすることで、所望の処理の開始指示等を行なうことができる。
【０００３】
例えば、後掲の特許文献１には、１つの注文においてサイズが異なるプリント原稿をスキャンする際に、サイズ毎にスキャンを行なう画像スキャンシステムが開示されている。この画像スキャンシステムにおいて、ユーザは、まず、同一サイズのプリント原稿をセットして、初期のＧＵＩ（Ｇｒａｐｈｉｃａｌ  ＵＩ）画面のスキャン開始ボタンを押下することで、スキャンを開始させる。スキャンが終了した後のＧＵＩ画面には、初期のＧＵＩ画面のスキャン開始ボタンに代えて、スキャナに追加スキャンを開始させるための追加スキャン開始ボタンが表示される。ユーザは、異なるサイズのプリント原稿のスキャンを行なう場合には、異なるサイズのプリント原稿をセットして、追加スキャン開始ボタンをクリックする。
【０００４】
また後掲の特許文献２には、コピースタートスイッチとコピーストップスイッチとを兼用させた操作スイッチを備える複写機が開示されている。この操作スイッチは、コピー中の期間のみコピーストップスイッチとなり、それ以外の期間はコピースタートスイッチとなるように構成されている。
【先行技術文献】
【特許文献】
【０００５】
【特許文献１】特開２００５−６４９４４号公報
【特許文献２】実開昭５９―５８４５７号公報
【発明の概要】
【発明が解決しようとする課題】
【０００６】
特許文献１及び特許文献２に開示される技術では、処理の実行中には、次の処理の開始指示、すなわち次の処理の実行予約を行なうことができず、ユーザが不便に感じるおそれがある。
【０００７】
本発明の目的は、所望の処理に対する指示を行ない易くすることによって、ユーザの利便性を向上させた表示操作装置、及び画像形成装置を提供することである。
【課題を解決するための手段】
【０００８】
本発明の第１の局面に係る表示操作装置は、画像を形成する画像形成装置に搭載される表示操作装置である。この表示操作装置は、表示面を有する表示一体型操作パネルと、表示面に第１のユーザインターフェイス（ＵＩ）部品の画像を表示する第１の表示手段と、第１のＵＩ部品と、画像形成装置の実行可能な画像形成処理のいずれかとを対応付ける対応付手段と、第１のＵＩ部品に対する入力操作に応答して、画像形成装置に対して、対応付手段により当該第１のＵＩ部品に対応付けられる画像形成処理の実行開始を指示する第１の指示手段と、ユーザの操作に応じて、画像形成装置の所定の画像形成機能をオンに設定するための機能設定手段と、所定の画像形成機能がオンに設定されたことに応答して、対応付手段により第１のＵＩ部品と対応付けられる画像形成処理を、所定の画像形成機能を用いた画像形成処理に変更する対応付変更手段と、を含む。
【０００９】
好ましくは、所定の画像形成機能を用いた画像形成処理の終了に応答して、対応付変更手段による変更前の画像形成処理を対応付手段により第１のＵＩ部品に対応付けられる画像形成処理に復帰させる処理復帰手段をさらに含む。
【００１０】
より好ましくは、所定の画像形成機能を用いた画像形成処理の実行が開始されたことに応答して、第１のＵＩ部品の画像に代えて、第１のＵＩ部品の画像と異なる第２のＵＩ部品の画像を表示面に表示する第２の表示手段と、第２のＵＩ部品に対する入力操作に応答して、画像形成機能を用いた画像形成処理に関する予め定められた指示を画像形成装置に与える第２の指示手段をさらに含む。
【００１１】
さらに好ましくは、所定の画像形成機能を用いた画像形成処理の実行状態に応じて、第２のＵＩ部品の表示態様と、予め定められた指示とを変化させる制御手段をさらに含む。
【００１２】
さらに好ましくは、所定の画像形成機能を用いた画像形成処理の実行開始に応答して、第２のＵＩ部品をグレーアウトし、当該第２のＵＩ部品に対する入力操作を受付け不可能にする制御手段をさらに含む。
【００１３】
さらに好ましくは、第２のＵＩ部品がグレーアウトされたことに応答して、第１及び第２のＵＩ部品のいずれとも異なる第３のＵＩ部品の画像を表示面に追加で表示する追加表示手段と、第３のＵＩ部品に対する入力操作に応答して、実行中の所定の画像形成機能を用いた画像形成処理の停止を画像形成装置に指示する停止指示手段とをさらに含む。
【００１４】
さらに好ましくは、所定の画像形成機能は、複数部のコピー印刷を行なう際に、最初に１部だけ印刷して印刷結果を確認できるようにするお試しコピー機能を含む。
【００１５】
本発明の第２の局面に係る画像形成装置は、上記した表示操作装置と、表示操作装置に接続され、表示操作装置からの指示に応じて原稿の読取を行なって画像データに変換し出力する原稿読取部と、表示操作装置及び原稿読取部に接続され、表示操作装置からの指示に応答して、原稿読取部が出力する画像データに基づく画像を印刷する画像形成部と、を含む。
【発明の効果】
【００１６】
本発明によれば、表示面に表示される第１のＵＩ部品に対する入力操作に応答して、画像形成装置に対して、当該第１のＵＩ部品に対応付けられる画像形成処理の実行開始が指示される。さらに、所定の画像形成機能がオンに設定されると、対応付手段により第１のＵＩ部品と対応付けられる画像形成処理が、所定の画像形成機能を用いた画像形成処理に変更される。ユーザは、第１のＵＩ部品に対する入力操作によって、所定の画像形成機能を用いた画像形成処理の実行開始を指示できる。これにより、ユーザの操作性及び利便性が向上する。
【図面の簡単な説明】
【００１７】
【図１】本発明の一実施の形態に係る画像形成装置の外観構成を示す図である。
【図２】図１に示す画像形成装置の内部構成を簡略化して示す図である。
【図３】図１に示す画像形成装置の電気的構成を示すブロック図である。
【図４】基本動作モードの基本画面の基本レイアウト構成を示す図である。
【図５】コピー基本画面の初期画面の一例を示す図である。
【図６】設定変更がなされたときのコピー基本画面の一例を示す図である。
【図７】機能リストを表示させるための変更キーが押下されたときのコピー基本画面の状態を示す図である。
【図８】機能リストを表示させるための変更キーが押下されたときのコピー基本画面の状態を示す図である。
【図９】通常コピー処理を実現するためのコンピュータプログラムの制御構造をフローチャート形式で示す図である。
【図１０】通常コピー時のコピー基本画面の状態の一例を示す図である。
【図１１】通常コピー時のコピー基本画面の状態の一例を示す図である。
【図１２】初回お試しコピー処理を実現するためのコンピュータプログラムの制御構造をフローチャート形式で示す図である。
【図１３】設定変更がなされたときのコピー基本画面の一例を示す図である。
【図１４】第１回目のお試しコピー時のコピー基本画面の状態の一例を示す図である。
【図１５】第１回目のお試しコピー終了時に表示されるコピー基本画面の状態を示す図である。
【図１６】第２回目以降のお試しコピー処理を実現するためのコンピュータプログラムの制御構造をフローチャート形式で示す図である。
【図１７】第２回目以降のお試しコピー時のコピー基本画面の状態の一例を示す図である。
【図１８】残りの部数の印刷時のコピー基本画面の状態の一例を示す図である。
【図１９】残りの部数の印刷時のコピー基本画面の状態の一例を示す図である。
【図２０】コピー倍率を変更するための設定キーが押下されたときのコピー基本画面の状態を示す図である。
【発明を実施するための形態】
【００１８】
以下の説明及び図面においては、同一の部品には同一の参照符号及び名称を付してある。それらの機能も同様である。したがって、それらについての詳細な説明は繰返さない。
【００１９】
［画像形成装置１００］  
図１〜図３を参照して、本発明の一実施の形態に係る画像形成装置１００は、スキャナ機能、コピー機能、及び、ファクシミリ（以下「ＦＡＸ」と記す。）機能等を備えるＭＦＰ（Ｍｕｌｔｉｆｕｎｃｔｉｏｎ  Ｐｒｉｎｔｅｒ）である。画像形成装置１００において、ユーザによって、スキャナモード、コピーモード及びＦＡＸモード等を含む各種動作モードのうちのいずれかが選択されると、選択された動作モードに対応する各種処理が実行可能になる。
【００２０】
〈ハードウェア構成〉  
［画像形成装置１００の全体構成］  
図１〜図３を参照して、画像形成装置１００は、原稿読取部１０２、画像形成部１０４、給紙部１０６、排紙処理装置１０８、及び、操作ユニット１２０を含む。以下、コピーモード及びＦＡＸモードにおける動作を説明することによって、画像形成装置１００全体のハードウェア構成の説明とする。
【００２１】
−コピーモード−  
本実施の形態において、コピーモードでは、主として、原稿読取部１０２及び画像形成部１０４が動作することによって、スキャンイン処理、モノクロコピー処理、及び、カラーコピー処理のうちのいずれかが実行される。
【００２２】
（スキャンイン処理）  
ユーザによってコピーモードが選択され、スキャンイン処理の開始が指示されると、手動又はＡＤＦ（Ａｕｔｏ  Ｄｏｃｕｍｅｎｔ  Ｆｅｅｄｅｒ）によって原稿載置台に載置された原稿は、原稿読取部１０２によって読取られ、スキャンデータとして変換される。読取られたスキャンデータは、図３に示すＣＰＵ（Ｃｅｎｔｒａｌ  Ｐｒｏｃｅｓｓｉｎｇ  Ｕｎｉｔ）３００に入力される。ＣＰＵ３００は、入力されたスキャンデータに対して各種画像処理を施した後、操作ユニット１２０のタッチパネルディスプレイ１３０に対し、スキャンデータに基づくプレビュー画像を表示させる。このとき、スキャンデータは、記憶装置（例えば、ＲＡＭ（Ｒａｎｄｏｍ  Ａｃｃｅｓｓ  Ｍｅｍｏｒｙ）３０８）に一時的に記憶される。
【００２３】
（通常のモノクロコピー処理及びカラーコピー処理）  
ユーザによってコピーモードが選択された後、上記したスキャンイン処理が行なわれていない状態で、コピー処理の開始が指示されると、手動又はＡＤＦによって原稿載置台に載置された原稿が原稿読取部１０２によって読取られ、画像データに変換される。読取られた画像データはＣＰＵ３００に入力され、ここで各種の画像処理が施された後、画像形成部１０４に対して出力される。
【００２４】
画像形成部１０４は、画像データに基づいて原稿画像を記録媒体（多くの場合、記録用紙）に印刷する。画像形成部１０４は、感光体ドラム２２２、帯電装置２２４、レーザスキャンユニット（以下、「ＬＳＵ」と記す。）２２６、現像装置２２８、転写装置２３０、クリーニング装置２３２、定着装置２３４、及び図示しない除電装置等を含む。
【００２５】
画像形成部１０４には、主搬送路２３６及び反転搬送路２３８が設けられる。給紙部１０６は、用紙カセット２４０に収納される記録用紙、又は手差トレイ２４２に載置される記録用紙を１枚ずつ引出し、引出した記録用紙を画像形成部１０４の主搬送路２３６に向けて送り出す。給紙部１０６から給紙された記録用紙は、主搬送路２３６に沿って搬送される。
【００２６】
主搬送路２３６に沿って記録用紙が搬送される途中において、記録用紙は感光体ドラム２２２と転写装置２３０との間を通過し、さらに定着装置２３４を通過する。この過程において、記録用紙に対する原稿画像の印刷が行なわれる。
【００２７】
感光体ドラム２２２は、一方向に回転する。感光体ドラム２２２の表面は、クリーニング装置２３２と除電装置とによりクリーニングされた後、帯電装置２２４により均一に帯電される。
【００２８】
ＬＳＵ２２６は、印刷対象の画像データに基づいてレーザ光を変調する。そして、このレーザ光によって感光体ドラム２２２の表面を主走査方向に繰返し走査することで、静電潜像を感光体ドラム２２２の表面に形成する。
【００２９】
現像装置２２８は、トナーを感光体ドラム２２２の表面に供給して静電潜像を現像する。これによって、トナー像が感光体ドラム２２２の表面に形成される。モノクロコピー処理が実行される場合には、現像装置２２８は、モノクロトナーを供給する。カラーコピー処理が実行される場合には、現像装置２２８は、イエロー（Ｙ）、マゼンタ（Ｍ）、シアン（Ｃ）、及びブラック（Ｋ）からなるカラートナーを供給する。
【００３０】
転写装置２３０は、当該転写装置２３０と感光体ドラム２２２との間を通過する記録用紙に対し、感光体ドラム２２２の表面に形成されたトナー像を転写する。
【００３１】
定着装置２３４は、記録用紙を加熱するための加熱ローラ２４８と、記録用紙を加圧するための加圧ローラ２５０とを含む。記録用紙上に転写されたトナー像は、加熱ローラ２４８によって加熱され、かつ、加圧ローラ２５０によって加圧されることによって、記録用紙に定着される。加熱ローラ２４８の温度は、定着装置２３４へ供給される電力によって、例えば加熱ローラ２４８内部に設けられるヒータを温めることで、定着に適した温度になるように制御されている。
【００３２】
主搬送路２３６と反転搬送路２３８との接続位置には、分岐爪２４４が配設されている。記録用紙の片面のみに原稿画像の印刷を行なう場合には、分岐爪２４４が位置決めされ、この分岐爪２４４により定着装置２３４から搬送される記録用紙が排紙トレイ２４６又は排紙処理装置１０８の方へと導かれる。
【００３３】
記録用紙の両面に原稿画像の印刷を行なう場合には、分岐爪２４４が所定方向に回動され、この分岐爪２４４により定着装置２３４から搬送される記録用紙が反転搬送路２３８の方へと導かれる。記録用紙は、反転搬送路２３８を通過して、その表裏を反転された状態で主搬送路２３６へと再び搬送される。主搬送路２３６における再度の搬送途中において、記録用紙の裏面への原稿画像の印刷が行なわれる。印刷が行なわれた記録用紙は、排紙トレイ２４６又は排紙処理装置１０８の方へと導かれる。
【００３４】
上述のようにして原稿画像が印刷された記録用紙は、排紙トレイ２４６又は排紙処理装置１０８の方へと導かれて、排紙トレイ２４６に排出されるか、又は、排紙処理装置１０８の各排紙トレイ１１０のいずれかに排出される。
【００３５】
排紙処理装置１０８では、複数の記録用紙を各排紙トレイ１１０に仕分けして排出する処理、記録用紙にパンチングする処理、及び、記録用紙にステープルする処理等を施す。排紙処理装置１０８は、例えば、複数部の印刷物を作成する場合には、各排紙トレイ１１０に印刷物の一部ずつが割り当てられるように、記録用紙を各排紙トレイ１１０に仕分けして排出し、排紙トレイ１１０毎に、排紙トレイ１１０上の記録用紙にパンチング処理又はステープル処理を施して印刷物を作成する。
【００３６】
（スキャンイン処理後のモノクロコピー処理及びカラーコピー処理）  
ユーザによってコピーモードが選択され、上記したスキャンイン処理が行なわれた後で、コピー処理の開始が指示される場合がある。この場合には、上記した原稿画像のスキャン及び画像データに対する画像処理は行なわれず、画像形成部１０４は、スキャンイン処理時に読取られ、記憶装置に一時的に記憶されるスキャンデータに基づいて、上記と同様にして印刷処理を行なう。
【００３７】
−ＦＡＸモード−  
本実施の形態において、ＦＡＸモードでは、原稿読取部１０２及び図３に示すＦＡＸ通信部１６０が動作することによって、スキャンイン処理及びＦＡＸ送信処理が実行される。ＦＡＸ通信部１６０が動作することによって、ＦＡＸ通信処理が実行される。ＦＡＸ通信部１６０及び画像形成部１０４が動作することによって、ＦＡＸ受信処理が実行される。
【００３８】
（スキャンイン処理）  
ユーザによってＦＡＸモードが選択され、ＦＡＸ処理の開始が指示されると、手動又はＡＤＦによって原稿載置台に載置された原稿は原稿読取部１０２によって読取られ、スキャンデータに変換される。読取られたスキャンデータは、ＣＰＵ３００に入力される。ＣＰＵ３００は、入力されたスキャンデータに対して各種画像処理を施した後、操作ユニット１２０のタッチパネルディスプレイ１３０に対し、スキャンデータに基づくプレビュー画像を表示させる。このとき、スキャンデータは、記憶装置（例えば、図３に示すＲＡＭ３０８）に一時的に記憶される。
【００３９】
（ＦＡＸ送信処理）  
ユーザによってＦＡＸモードが選択された後、スキャンイン処理が行なわれていない状態で、ＦＡＸ処理の開始が指示されると、手動又はＡＤＦによって原稿載置台に載置された原稿は原稿読取部１０２によって読取られ、画像データに変換される。読取られた画像データは、ＣＰＵ３００に入力され、ここで各種の画像処理が施された後、ＦＡＸ通信部１６０に対して出力される。
【００４０】
一方、ユーザによってＦＡＸモードが選択され、上記したスキャンイン処理が行なわれた後で、ＦＡＸ処理の開始が指示される場合がある。この場合には、上記した原稿画像のスキャン及び画像データに対する画像処理は行なわれず、スキャンイン処理時に読取られ、記憶装置に一時的に記憶されるスキャンデータが、ＦＡＸ通信部１６０に対して出力される。
【００４１】
送信側の画像形成装置１００のＦＡＸ通信部１６０は、送信側の回線を指定された送信先に接続し、入力された画像データ又はスキャンデータをファクシミリ通信規格に合致した通信データへ変換して、受信側のファクシミリ装置（例えばファクシミリ機能を備えた画像形成装置１００）に対して送信する。
【００４２】
（ＦＡＸ通信処理）  
回線が接続されると、受信側の画像形成装置１００のＦＡＸ通信部１６０は、送信側の画像形成装置１００のＦＡＸ通信部１６０からの通信要求信号を検出して、応答信号を送信する。その後、例えば、ＦＡＸ通信部１６０は、送信側及び受信側で互いに実装されている能力情報の受渡しを行ない、利用可能な最大能力での通信速度及び画像データの符号化／符号訂正方式等を決定してモデムの通信方式を設定する。この通信方式にあわせた画像信号形式を用いて、送信側の画像形成装置１００のＦＡＸ通信部１６０から受信側の画像形成装置１００のＦＡＸ通信部１６０へとデータが送信される。送信が終了すると回線が切断される。
【００４３】
（ＦＡＸ受信処理）  
受信側の画像形成装置１００のＦＡＸ通信部１６０は、受信したデータを画像データに変換して、画像形成部１０４へ送る。なお、受信したデータを画像データへ変換するのは画像形成部１０４であっても構わない。画像形成部１０４は、上述したコピーモードにおける動作と同様にして、受信したデータから変換された画像データに基づく画像を記録用紙に印刷する。
【００４４】
〈電気的構成〉  
図３を参照して、画像形成装置１００は、操作ユニット１２０と、プログラム等を記憶するためのＲＯＭ（Ｒｅａｄ  Ｏｎｌｙ  Ｍｅｍｏｒｙ）３０６と、通電が遮断された場合であってもプログラム及びデータ等を記憶可能な不揮発性記憶領域を提供するハードディスクを含むＨＤＤ（Ｈａｒｄ  Ｄｉｓｋ  Ｄｒｉｖｅ）３０２と、プログラムを実行する際に記憶領域を提供するＲＡＭ３０８と、を含む。
【００４５】
画像形成装置１００はさらに、原稿読取部１０２、画像形成部１０４、ＦＡＸ通信部１６０、操作ユニット１２０、ＨＤＤ３０２、ＲＯＭ３０６、ＲＡＭ３０８、及び、ネットワークインターフェイス（以下「ネットワークＩ／Ｆ」と記す。）３０４に接続されるバス３１０と、バス３１０に接続され、上記した各部を制御して画像形成装置としての一般的機能を実現するためのＣＰＵ３００と、を含む。
【００４６】
ＨＤＤ３０２には、原稿読取部１０２にてスキャンされた画像データ等の各種データが記憶される。ＲＯＭ３０６には、画像形成装置１００の一般的な動作を実現するためのコンピュータプログラムとともに、後述する、通常コピー処理、初回お試しコピー処理、及び第２回目以降のお試しコピー処理を実現するためのコンピュータプログラムが記憶される。ＲＯＭ３０６にはさらに、各種動作モードの基本画面を表示するための基本画面データ、及び、各種設定画面を表示するための設定画面データが記憶される。
【００４７】
ＲＡＭ３０８は、ＣＰＵ３００による演算及び処理の結果を一時的に記憶するワーキングメモリとしての機能と、画像データを記憶するフレームメモリとしての機能とを提供する。ＣＰＵ３００は、ＲＯＭ３０６に格納されているコンピュータプログラムにしたがって画像形成装置１００の各機能に関する制御を実行する。すなわち、原稿読取部１０２、画像形成部１０４、操作ユニット１２０のタッチパネルディスプレイ１３０及び表示操作部１４０、ＨＤＤ３０２、ＲＯＭ３０６、並びに、ＲＡＭ３０８等の各部に対する制御は、ＣＰＵ３００が所定のコンピュータプログラムを実行することによって実現される。
【００４８】
図３を参照して、画像形成装置１００のＦＡＸ通信部１６０には、画像データの送受信用に公衆回線が接続され、ネットワークＩ／Ｆ３０４には、ネットワーク回線が接続される。このネットワーク回線には、画像形成装置１００をネットワーク対応のプリンタとして使用するコンピュータが接続されたり、インターネットを介して指定されたＵＲＬにより特定されるコンピュータが接続されたりする。このようにネットワーク回線を通じてインターネットに接続される画像形成装置１００は、インターネットを介して、外部装置から必要な情報を取得することができる。
【００４９】
［画像形成装置１００の操作ユニット１２０］  
図１及び図３を参照して、操作ユニット１２０は、画像形成装置１００の上部正面側に、ユーザが目視しやすいように傾斜して設けられる板状の操作パネルである。操作ユニット１２０は、操作ユニット１２０表面の中央部から左側領域にかけて配置されるタッチパネルディスプレイ１３０と、操作ユニット１２０表面の右側領域に配置される表示操作部１４０と、を含む。タッチパネルディスプレイ１３０と表示操作部１４０とは１つの筐体に保持され、操作ユニット１２０は全体として一体となるように構成される。操作ユニット１２０は、入出力インターフェイス（図示せず。）を介して、ＣＰＵ３００と通信を行なう。
【００５０】
タッチパネルディスプレイ１３０は、表示パネル１３２と、タッチパネル１３４とが重ねて構成されるタッチパネル一体型液晶表示装置である。表示パネル１３２には、例えば、画像形成装置１００が実行可能な各種動作モードから所望の動作モードを選択するためのホーム画面、及び、基本動作モードにおける各種機能の設定変更等を行なうための基本画面が表示される。ここで、基本動作モードとは、画像データの印刷処理及び送信処理等を実行するための動作モードのことであり、本実施の形態では、コピーモード、ＦＡＸモード、及び、スキャナモードを示す。タッチパネルディスプレイ１３０の動作はＣＰＵ３００によって制御される。例えば、表示パネル１３２に表示される画面にはソフトウェアキーが表示される。このソフトウェアキーをユーザが指で押下すると、タッチパネル１３４がその押下された位置を検出する。ＣＰＵ３００は、プログラム上でソフトウェアキーの表示位置とタッチパネル１３４が押された位置とを照合し、その照合結果に基づいて、動作モードの選択、各種機能の設定変更、及び、動作指示等を行なう。タッチパネルディスプレイ１３０のサイズ及び形状としては、特に限定されないが、例えば、１０２４ピクセル×６００ピクセルの横長の長方形状のもの等を使用できる。
【００５１】
表示操作部１４０は、表示灯１４２、並びに、電源キー１４４、省エネルギーキー（以下「省エネキー」と記す。）１４６、及びホームキー１４８等の各種ハードウェアキーを含む。表示灯１４２は、例えばＬＥＤ（Ｌｉｇｈｔ  Ｅｍｉｔｔｉｎｇ  Ｄｉｏｄｅ）を備え、画像形成装置１００が電源オンであるときに点灯する。電源キー１４４は、画像形成装置１００の電源のオン・オフを行なうためのキーである。
【００５２】
省エネキー１４６は、通常モードから省エネモードへの移行指示又は省エネモードから通常モードへの移行指示を行なうためのキーである。なお、省エネモードへの移行は、省エネキー１４６が押下された場合だけでなく、ユーザによる入力操作がない状態で所定時間が経過した場合においても実行される。ここで、通常モードとは、電源がオンの状態であって、全ての動作モードが実行可能な状態を示す。省エネモードとは、電源がオンの状態であって、一部の動作モードのみが実行可能な状態を示す。
【００５３】
ホームキー１４８は、ホーム画面（図示せず。）への移行指示を行なうためのキーである。ユーザによってホームキー１４８が押下されると、表示パネル１３２には、上記した基本動作モードを選択するためのソフトウェアキーを含むホーム画面（図示せず。）が表示される。
【００５４】
上記したホーム画面等に表示される、基本動作モードを選択するためのソフトウェアキーのうちのいずれかがユーザによって押下されると、表示パネル１３２には、選択された基本動作モードの基本画面が表示される。
【００５５】
［基本動作モードの基本画面］  
以下、基本動作モードの基本画面の基本レイアウト構成を説明する。図４を参照して、基本動作モードの基本画面は、システム領域１０００、機能設定／確認領域（以下「機能選択領域」と記す。）２０００、プレビュー領域３０００、アクションパネル領域４０００、及び、タスクトリガー領域５０００を含む５つの領域からなる。これらの５つの領域は、基本レイアウトにしたがって以下のように配置される。すなわち、システム領域１０００は基本画面の最上部に配置される。プレビュー領域３０００は基本画面の中央部に配置される。機能選択領域２０００は、基本画面においてプレビュー領域３０００に対して左側に配置される。アクションパネル領域４０００は、基本画面においてプレビュー領域３０００に対して右側上部に配置される。タスクトリガー領域５０００は、基本画面においてプレビュー領域３０００に対して右側下部に配置される。上記した各種基本動作モードの基本画面を構成する５つの領域及び基本レイアウトは、全ての基本動作モードにおいて共通する。以下に、上記した基本動作モードの基本画面の一例として、コピーモードの基本画面について説明する。
【００５６】
［コピー基本画面５００の初期画面］  
図５に示すコピー基本画面５００の初期画面は、ユーザによってコピーモードが選択されたときに、最初に表示パネル１３２に表示される画面である。図５を参照して、コピー基本画面５００の初期画面において、システム領域１０００には、コピーモードであることを示す「コピー」という文字列１１０２、及び、ログアウトを実行するためのログアウトキー１１０４等が表示される。このログアウトキー１１０４には、ログイン中のユーザ名が表示される。システム領域１０００にはさらに、現在処理中のジョブ状況を表示する領域１１０６が設けられる。
【００５７】
機能選択領域２０００には、コピーモードにおける各種機能の設定変更を行なうための各種設定キーが表示される。各種設定キーは、当該分野にて一般的に使用されるものであれば特に限定されない。本実施の形態では、各種設定キーとして、カラーモードを切替えるためのキー２１０２、原稿のサイズ等を変更するためのキー２１０４、コピー濃度を変更するためのキー２１０６、コピー倍率を変更するためのキー２１０８、使用する記録用紙のサイズ等を変更するためのキー２１１０、両面コピー機能を設定するためのキー２１１２、ステープルソート機能を設定するためのキー２１１４、及び、仕上げ機能を設定するためのキー２１１６が表示される。上記したキー２１０２〜２１１６には、対応する機能を表す簡単な絵柄及び文字列、並びに、現在の設定状況（初期画面の場合にはデフォルト設定）を示す文字列が表示される。例えば、キー２１０２には、カラーモードの切替え機能を表す絵柄と、「カラーモード」という文字列と、カラーモードにおけるデフォルト設定を示す「フルカラー」という文字列と、が表示される。ユーザによってキー２１０２〜２１１６のいずれかがタッチされた場合には、コピー基本画面５００の前面には、押下されたキーに対応する設定画面（例えば、コピー部数設定画面、濃度設定画面、倍率設定画面、及び原稿設定画面（以上いずれも図示せず。）等）が表示される。
【００５８】
機能選択領域２０００において、各種設定キー２１０２〜２１１６の下方には、各種設定キー２１０２〜２１１６の表示スタイルを変更するための変更キー２０１２，２０１４、及び、各種設定キー２１０２〜２１１６では設定変更不可能な他の機能の一覧（以下「機能リスト」と記す。）を表示させるためのキー２０１６が表示される。変更キー２０１２は、予め「お気に入り」登録された機能に関する設定キーのみを表示させるためのキーである。変更キー２０１４は、設定変更された機能に関する設定キーのみを表示させるためのキーである。本実施の形態では、変更キー２０１４が選択されており、機能選択領域２０００には、予め「お気に入り」登録された機能に関する設定キーが表示されているものとする。
【００５９】
なお、機能選択領域２０００において、表示対象の全ての設定キーを表示しきれない場合には、各種設定キーは上下方向にスクロール可能に表示される。このとき、キー２０１２〜２０１６の表示位置は固定されたままである。ユーザは、フリック操作（表示部分を所定方向に向けて指で軽く払う操作）等によって、各種設定キーの表示部分を上下方向にスクロールさせることができる。
【００６０】
プレビュー領域３０００には、コピー部数を入力するための仮想テンキー群３１０２が表示される。仮想テンキー群３１０２は、０〜９までの数字キー及びクリア（Ｃ）キーを含む。仮想テンキー群３１０２は、常に、ウィンドウである背景領域３１０３内に表示される。背景領域３１０３内にはさらに、コピー部数を示す「部数」という文字列３１０４、及び、設定されたコピー部数を表す数値３１０５が表示される。初期画面においては、コピー部数を表す数値３１０５として、デフォルト設定である「１」が表示される。
【００６１】
プレビュー領域３０００において、仮想テンキー群３１０２の下方には、画像形成装置１００全体の現在の状況を示すミミック画像３１０６が表示される。ユーザは、このミミック画像３１０６に対してタッチ操作（表示部分を指で押下する操作）を行なうことで、コピー基本画面５００の前面に対し、用紙設定画面を表示させることができる。なお、プレビュー領域３０００には、スキャンイン処理の実行時には、原稿読取部１０２によって読取られたスキャンデータに基づくプレビュー画像が表示される。
【００６２】
アクションパネル領域４０００には、コピーモードにおけるおすすめ機能を実行するための各種実行キー４１０２が表示される。ここで、おすすめ機能とは、ユーザによって選択された機能に対して過去に組合せて選択されたことのある機能を示す。初期画面には、コピーモードにおいて過去に選択されたことのある機能に対応する各種実行キー４１０２が表示される。各種実行キー４１０２は、当該分野にて一般的に使用されるものであれば特に限定されない。各種実行キー４１０２としては、例えば、使用する記録用紙に合わせてコピー倍率を自動的に選択するためのキー４１０２Ａ、コピー処理と同時に画像データの送信を実行するためのキー４１０２Ｂ、及び、画像データのファイリングを実行するためのキー４１０２Ｃ等がある。上記した各種実行キー４１０２は、そのときの処理状況等に応じて適宜変更される。
【００６３】
タスクトリガー領域５０００には、スキャンインキー５１０２、クリアオールキー５１０４、モノクロスタートキー５１０６、及び、カラースタートキー５１０８が表示される。以下、モノクロスタートキー５１０６及びカラースタートキー５１０８を、単にスタートキー５１０６，５１０８と記す場合がある。スキャンインキー５１０２は、原稿をスキャンし、得られたスキャンデータに基づくプレビュー画像をプレビュー領域３０００に表示させるスキャンイン処理の実行を開始するためのキーである。クリアオールキー５１０４は、設定変更された機能及びパラメータ等を全てキャンセルし、設定をデフォルト状態へ戻すためのキーである。モノクロスタートキー５１０６は、原稿をスキャンし、得られた画像データ（又はスキャンイン処理によって得られたスキャンデータ）に基づくモノクロコピー処理の実行を開始するためのキーである。カラースタートキー５１０８は、原稿をスキャンし、得られた画像データ（又はスキャンイン処理によって得られたスキャンデータ）に基づくカラーコピー処理の実行を開始するためのキーである。上記したように、本明細書では、スキャンイン処理によってスキャンされた画像データのことをスキャンデータと記すことで、他の画像データと区別する。
【００６４】
［設定変更がなされたときのコピー基本画面５００］  
ユーザは、上記した各種設定キー２１０２〜２１１６及び各種実行キー４１０２に対する入力操作によって、所望の機能の設定変更を行なうことができる。図６を参照して、設定変更がなされたときのコピー基本画面５００の一例において、各種設定キー２１０２〜２１１６及び各種実行キー４１０２には、設定変更された内容が反映されて表示される。例えば、倍率自動選択機能及び自動一時保存機能がオンに設定された場合には、対応する実行キー４１０２Ａ，４１０２Ｄ内には、所定のマークが表示される。また、背景領域３１０３内には、仮想テンキー群３１０２に対するユーザの入力操作によって設定されたコピー部数を示す数値（この場合「１」）３１０５が表示される。ユーザは、これらの表示を見ることによって、選択された機能を確認することができる。
【００６５】
［変更キー２０１６が押下されたときのコピー基本画面５００］  
図７及び図８を参照して、ユーザによって変更キー２０１６が押下されると、機能選択領域２０００及びプレビュー領域３０００の前面に、機能リスト６０００が表示される。機能リスト６０００は、上記した各種設定キー２１０２〜２１１６では設定変更不可能な各種機能の設定を行なうための各種設定キー６００２を含む。機能リスト６０００において、全ての設定キー６００２を一度に表示しきれない場合には、機能リスト６０００の右側に、垂直スクロールバー６００４が表示される。ユーザは、この垂直スクロールバー６００４を上下方向に移動させることで、機能リスト６０００の表示を上下方向にスクロールさせることができる。図７及び図８は、スクロール前後の機能リスト６０００の状態をそれぞれ示す。各種設定キー６００２は、当該分野において一般的に使用されるものであれば特に限定されない。各種設定キー６００２としては、例えば、ソート機能を設定するためのキー６００２Ａ、紙折り機能を設定するためのキー６００２Ｂ、及び、お試しコピー機能を設定するためのキー６００２Ｃ等がある。ここで、お試しコピー機能とは、複数部のコピーを行なう際に、最初に１部だけ印刷して内容を確認できるようにする機能を示す。ユーザによって押下され選択された設定キー６００２の周りには、その設定キー６００２を囲む囲み枠（図示せず。）が表示される。ユーザは、この囲み枠の有無によって、選択された機能を確認することができる。
【００６６】
機能選択領域２０００において、機能リスト６０００の下方には、上記した変更キー２０１２，２０１４、及び、アイコン化された状態のキー２０１６とともに、機能リスト６０００の表示の終了を指示するための基本設定キー２０１８が表示される。ユーザによって基本設定キー２０１８が押下されると、機能リスト６０００の表示が終了されるとともに、選択された機能がオンに設定される。さらに、機能選択領域２０００に表示される基本設定キー２０１８は消去され、変更キー２０１６は、アイコン化された状態から元の状態に戻る。
【００６７】
〈ソフトウェア構成〉  
（通常コピー処理）  
図９に示す通常コピー処理を実現するためのプログラムは、表示パネル１３２に、コピー基本画面５００の初期画面（図５参照）が表示されるとともに起動される。なお、初期画面の表示後、ユーザによって機能の設定変更及びコピー部数の入力等が行なわれた場合には、表示パネル１３２には、設定変更後のコピー基本画面５００（図６参照）が表示される。
【００６８】
図９を参照して、このプログラムは、スタートキー５１０６又は５１０８が押下されたか否かを判定するステップＳ１０１と、ステップＳ１０１にて、スタートキー５１０６又は５１０８が押下されたと判定された場合（ＹＥＳの場合）に実行され、原稿読取部１０２及び画像形成部１０４等の画像形成装置１００の各部に対し、通常コピーを開始させるステップＳ１０２と、を含む。通常コピーが開始されると、原稿読取部１０２は、原稿載置台に載置された原稿に基づく画像データを読取る。ＣＰＵ３００は、読取られた画像データに対して、現在の設定内容に基づいて各種画像処理を施す。画像形成部１０４は、各種画像処理が行なわれた画像データに基づくモノクロ画像又はカラー画像を、設定されたコピー部数分印刷する。
【００６９】
図９及び図１０を参照して、このプログラムはさらに、タスクトリガー領域５０００に、スタートキー５１０６及び５１０８に代えて、通常コピーの中止を指示するためのコピー中止キー５２００を表示させるとともに、コピー中止キー５２００の近傍であってスキャンインキー５１０２の前面に、「コピー中です。」という、現在の処理状況を示すメッセージを含む吹出し画像５２０２を表示させるステップＳ１０３を含む。
【００７０】
図９及び図１１を参照して、このプログラムはさらに、原稿読取部１０２による画像データの読取りが完了したか否かを判定するステップＳ１０４と、ステップＳ１０４にて、画像データの読取りが完了したと判定された場合（ＹＥＳの場合）に実行され、タスクトリガー領域５０００の表示を元の状態に戻すとともに、システム領域１０００に、現在印刷を実行中であることを示す文字列１２００と、印刷の中止を指示するための印刷中止キー１２０２を表示させるステップＳ１０５と、を含む。ここで、元の状態とは、スタートキー５１０６及び５１０８、並びに、スキャンインキー５１０２が表示される状態を示す。
【００７１】
このプログラムはさらに、ステップＳ１０４にて、画像データの読取りが完了していないと判定された場合（ＮＯの場合）に実行され、コピー中止キー５２００が押下されたか否かを判定するステップＳ１０６と、ステップＳ１０６にて、コピー中止キー５２００が押下されたと判定された場合（ＹＥＳの場合）に実行され、原稿読取部１０２による画像データの読取りを中止させるステップＳ１０７と、を含む。ステップＳ１０６にて、コピー中止キー５２００が押下されていないと判定された場合（ＮＯの場合）には、制御はステップＳ１０４に戻る。
【００７２】
このプログラムはさらに、ステップＳ１０１にて、スタートキー５１０６又は５１０８が押下されていないと判定された場合（ＮＯの場合）に実行され、クリアオールキー５１０４が押下されたか否かを判定するステップＳ１０８と、ステップＳ１０８にて、クリアオールキー５１０４が押下されたと判定された場合（ＹＥＳの場合）に実行され、全ての設定をデフォルト状態に戻すとともに、表示パネル１３２に、コピー基本画面５００の初期画面を表示させるステップＳ１０９と、を含む。ステップＳ１０８にて、クリアオールキー５１０４が押下されていないと判定された場合（ＮＯの場合）には、制御はステップＳ１０１に戻る。
【００７３】
（初回お試しコピー処理）  
図１２に示す初回お試しコピー処理を実現するためのプログラムは、図８に示す設定キー６００２Ｃが選択された状態で、基本設定キー２０１８が押下されることによって起動される。なお、基本設定キー２０１８の押下後、ユーザによって機能の設定変更及びコピー部数の入力等が行なわれた場合には、表示パネル１３２には、設定変更後のコピー基本画面５００（例えば、図１３参照）が表示される。
【００７４】
図１２を参照して、このプログラムは、システム領域１０００に、「お試しコピー中」という、お試しコピーモードであることを示す文字列１３００を表示させるステップＳ２００を含む。
【００７５】
このプログラムはさらに、カラースタートキー５１０８が押下されたか否かを判定するステップＳ２０１と、ステップＳ２０１にて、カラースタートキー５１０８が押下されていないと判定された場合（ＮＯの場合）に実行され、モノクロスタートキー５１０６が押下されたか否かを判定するステップＳ２０２と、ステップＳ２０２にて、モノクロスタートキー５１０６が押下されていないと判定された場合（ＮＯの場合）に実行され、クリアオールキー５１０４が押下されたか否かを判定するステップＳ２０３と、を含む。ステップＳ２０３にて、クリアオールキー５１０４が押下されていないと判定された場合（ＮＯの場合）には、制御はステップＳ２０１に戻る。
【００７６】
図１２及び図１４を参照して、このプログラムはさらに、ステップＳ２０１にて、カラースタートキー５１０８が押下されたと判定された場合（ＹＥＳの場合）に実行され、背景領域３１０３内に表示されるコピー部数を表す数値を１減少させるステップＳ２０４と、タスクトリガー領域５０００に、スタートキー５１０６及び５１０８に代えて、お試しコピーの中止を指示するためのコピー中止キー５４００を表示させるとともに、コピー中止キー５４００の近傍であってスキャンインキー５１０２の前面に、「お試しコピー中です。１部コピー後、設定の変更ができます。」という、現在の処理状況を示すメッセージを含む吹出し画像５４０２を表示させるステップＳ２０５と、を含む。
【００７７】
このプログラムはさらに、画像形成モードを示す変数Ｍに、フルカラーモードを表す「１」を代入するステップＳ２０６と、原稿読取部１０２及び画像形成部１０４等の画像形成装置１００の各部に対し、第１回目（すなわち、初回）のお試しコピーを実行させるステップＳ２０７と、を含む。ステップＳ２０７において、原稿読取部１０２は、原稿載置台に載置された原稿に基づく画像データを読取る。ＣＰＵ３００は、読取られた画像データに対して、現在の設定内容に基づいて各種画像処理を施す。画像形成部１０４は、各種画像処理が施された画像データに基づくカラー画像を１部印刷する。なお、原稿読取部１０２によって読取られ、画像処理が施された上記画像データは、一時的に記憶装置（例えば、図３に示すＲＡＭ３０８）に記憶される。
【００７８】
このプログラムはさらに、ステップＳ２０２にて、モノクロスタートキー５１０６が押下されたと判定された場合（ＹＥＳの場合）に実行され、背景領域３１０３内に表示されるコピー部数を表す数値を１減少させるステップＳ２０８と、タスクトリガー領域５０００に、スタートキー５１０６及び５１０８に代えて、コピー中止キー５４００を表示させるとともに、コピー中止キー５４００の近傍であって、スキャンインキー５１０２の前面に、吹出し画像５４０２を表示させるステップＳ２０９と、を含む。
【００７９】
このプログラムはさらに、変数Ｍに、モノクロモードを表す「０」を代入するステップＳ２１０と、原稿読取部１０２及び画像形成部１０４等の画像形成装置１００の各部に対し、第１回目のお試しコピーを実行させるステップＳ２１１と、を含む。ステップＳ２１１において、原稿読取部１０２は、原稿載置台に載置された原稿に基づく画像データを読取る。ＣＰＵ３００は、読取られた画像データに対して、現在の設定内容に基づいて各種画像処理を施す。画像形成部１０４は、各種画像処理が施された画像データに基づくモノクロ画像を１部印刷する。なお、原稿読取部１０２によって読取られ、画像処理が施された上記画像データは、一時的に記憶装置（例えば、図３に示すＲＡＭ３０８）に記憶される。
【００８０】
このプログラムはさらに、ステップＳ２０３にて、クリアオールキー５１０４が押下されたと判定された場合（ＹＥＳの場合）に実行され、お試しコピー機能を含む全ての設定をデフォルト状態に戻すとともに、表示パネル１３２に、コピー基本画面５００の初期画面を表示させるステップＳ２１２を含む。
【００８１】
［第１回目のお試しコピー終了時のコピー基本画面５００］
図１５を参照して、第１回目のお試しコピーが終了すると、タスクトリガー領域５０００には、コピー中止キー５４００に代えて、残りの部数の印刷の開始を指示するための印刷開始キー５５００が表示されるとともに、スキャンインキー５１０２に代えて、第２回目以降のお試しコピーの開始を指示するためのお試しコピーキー５５０２が表示される。このお試しコピーキー５５０２の近傍であって、アクションパネル領域４０００の前面には、「現在のコピーでよければ［印刷開始］で残り部数を出力します。［お試しコピー］でもう一度お試しコピーします。」という、印刷開始キー５５００及びお試しコピーキー５５０２の説明を含む吹出し画像５５０４が表示される。印刷開始キー５５００及びお試しコピーキー５５０２は、処理の実行開始を指示するためのスタートキーとして機能する。
【００８２】
〈ソフトウェア構成〉  
（第２回目以降のお試しコピー処理）  
図１６に示す第２回目以降のお試しコピー処理を実現するためのプログラムは、第１回目のお試しコピーが終了することによって起動される。図１６を参照して、このプログラムは、お試しコピーキー５５０２が押下されたか否かを判定するステップＳ３０１と、ステップＳ３０１にて、お試しコピーキー５５０２が押下されたと判定された場合（ＹＥＳの場合）に実行され、原稿読取部１０２及び画像形成部１０４等の画像形成装置１００の各部に対し、変数Ｍの値に基づいて、第２回目以降のお試しコピーを実行させるステップＳ３０２と、を含む。ステップＳ３０２において、原稿読取部１０２は、原稿載置台に載置された原稿に基づく画像データを読取る。ＣＰＵ３００は、読取られた画像データに対して、現在の設定内容に基づいて各種画像処理を施す。画像形成部１０４は、各種画像処理が施された画像データに基づくカラー画像（変数Ｍが「１」である場合）又はモノクロ画像（変数Ｍが「０」である場合）を１部印刷する。なお、原稿読取部１０２によって読取られ、画像処理が施された上記画像データは、一時的に記憶装置（例えば、図３に示すＲＡＭ３０８）に記憶される。また、ステップＳ３０２の処理に同期して、コピー基本画面５００は、後述する図１７の状態に遷移する。
【００８３】
このプログラムはさらに、ステップＳ３０１にて、お試しコピーキー５５０２が押下されていないと判定された場合（ＮＯの場合）に実行され、印刷開始キー５５００が押下されたか否かを判定するステップＳ３０３と、ステップＳ３０３にて、印刷開始キー５５００が押下されたと判定された場合（ＹＥＳの場合）に実行され、画像形成部１０４等の画像形成装置１００の各部に対し、変数Ｍの値に基づいて、残りの部数の印刷を開始させるステップＳ３０４と、を含む。ステップＳ３０４にて、残りの部数の印刷が開始されると、画像形成部１０４は、直前のお試しコピー時に記憶装置（例えば、図３に示すＲＡＭ３０８）に一時的に記憶された画像データに基づいて、直前のお試しコピー時の設定内容が反映されたカラー画像又はモノクロ画像を残りの部数分印刷する。なお、ステップＳ３０４において、残りの部数の印刷が開始されると、コピー基本画面５００は、後述する図１８の状態に遷移する。そして、残りの部数の印刷が開始されてから３秒が経過すると、コピー基本画面５００は、後述する図１９の状態に遷移する。
【００８４】
このプログラムはさらに、残りの部数の印刷が全て完了したか否かを判定するステップＳ３０５と、ステップＳ３０５にて、残りの部数の印刷が全て完了したと判定された場合（ＹＥＳの場合）に実行され、表示パネル１３２に対し、コピー基本画面５００の待機画面を表示させるステップＳ３０６と、を含む。ここで、待機画面とは、次の処理の実行指示が可能な状態のコピー基本画面５００を示す。
【００８５】
このプログラムはさらに、ステップＳ３０３にて、印刷開始キー５５００が押下されていないと判定された場合（ＮＯの場合）に実行され、クリアオールキー５１０４が押下されたか否かを判定するステップＳ３０７と、ステップＳ３０７にて、クリアオールキー５１０４が押下されたと判定された場合（ＹＥＳの場合）に実行され、全ての設定をデフォルト設定に戻すとともに、表示パネル１３２に、コピー基本画面５００の初期画面を表示させるステップＳ３０８と、を含む。ステップＳ３０７にて、クリアオールキー５１０４が押下されていないと判定された場合（ＮＯの場合）には、制御はステップＳ３０１に戻る。
【００８６】
〈動作〉  
図１〜図２１を参照して、画像形成装置１００は、以下のように動作する。以下の動作を除く、画像形成装置１００の一般的な動作は、従来の画像形成装置の動作と同じである。なお、以下の動作において、画像形成装置１００は、電源が投入された状態であるものとする。
【００８７】
（通常コピーを行なう場合の動作）  
ユーザは、表示操作部１４０のホームキー１４８を押下する。ホームキー１４８が押下されると、表示パネル１３２には、ホーム画面（図示せず。）が表示される。ユーザは、ホーム画面に表示される、コピーモードを選択するためのソフトウェアキーを押下する。コピーモードを選択するためのソフトウェアキーが押下されると、表示パネル１３２には、コピー基本画面５００の初期画面（図５参照）が表示される。
【００８８】
コピー基本画面５００の初期画面を確認したユーザは、原稿載置台に印刷対象の原稿を載置するとともに、各種設定キー２１０２〜２１１６及び各種実行キー４１０２等に対する入力操作によって、所望の機能の設定変更を行なう。ユーザはさらに、仮想テンキー群３１０２に対する入力操作によって所望のコピー部数を設定する。本実施の形態において、ユーザは、倍率自動選択機能及び自動一時保存機能をオンに設定するとともに、コピー部数を「１」に設定する。表示パネル１３２には、設定変更後のコピー基本画面５００（図６参照）が表示される。
【００８９】
所望のコピー部数の設定後、ユーザは、スタートキー５１０６又は５１０８を押下する。スタートキー５１０６又は５１０８が押下されると（ステップＳ１０１にてＹＥＳ）、原稿読取部１０２及び画像形成部１０４等の画像形成装置１００の各部は、通常コピーを開始する（ステップＳ１０２）。通常コピーが開始されると、原稿読取部１０２は、原稿載置台に載置された原稿に基づく画像データの読取りを開始する。図１０を参照して、このとき、タスクトリガー領域５０００には、スタートキー５１０６及び５１０８に代えて、コピー中止キー５２００が表示される。コピー中止キー５２００の近傍であってスキャンインキー５１０２の前面には、「コピー中です。」というメッセージを含む吹出し画像５２０２が表示される（ステップＳ１０３）。ユーザは、コピー中止キー５２００を押下することで（ステップＳ１０６にてＹＥＳ）、原稿読取部１０２による画像データの読取りを中止させることができる（ステップＳ１０７）。
【００９０】
原稿読取部１０２による画像データの読取りが完了すると（ステップＳ１０４にてＹＥＳ）、画像形成部１０４は、読取られた画像データに基づくモノクロ画像又はカラー画像の印刷を開始する。図１１を参照して、この印刷の開始に同期して、タスクトリガー領域５０００の表示は元の状態に戻り、スタートキー５１０６及び５１０８、並びに、スキャンインキー５１０２が表示される。システム領域１０００には、「印刷中」という文字列１２００及び印刷中止キー１２０２が表示される（ステップＳ１０５）。ユーザは、印刷中止キー１２０２を押下することで、画像形成部１０３による印刷を中止させることができる。
【００９１】
コピー中止キー５２００及び印刷中止キー１２０２が押下されることなく通常コピーが終了すると、ユーザは、設定したコピー部数分のモノクロ画像又はカラー画像を得ることができる。このとき、表示パネル１３２には、スタートキー５１０６又は５１０８が押下される前の状態のコピー基本画面５００（図６参照）が表示される。
【００９２】
なお、ユーザによって、スタートキー５１０６及び５１０８が押下されることなくクリアオールキー５１０４が押下された場合には（ステップＳ１０８にてＹＥＳ）、全ての設定がデフォルト状態に戻され、表示パネル１３２には、コピー基本画面５００の初期画面（図５参照）が表示される。
【００９３】
（お試しコピーを行なう場合の動作）  
ユーザは、表示操作部１４０のホームキー１４８を押下する。ホームキー１４８が押下されると、表示パネル１３２には、ホーム画面（図示せず。）が表示される。ユーザは、ホーム画面に表示される、コピーモードを選択するためのソフトウェアキーを押下する。コピーモードを選択するためのソフトウェアキーが押下されると、表示パネル１３２には、コピー基本画面５００の初期画面（図５参照）が表示される。
【００９４】
ユーザは、コピー基本画面５００の初期画面を確認し、機能選択領域２０００に表示されるキー２０１６を押下する。図７を参照して、キー２０１６が押下されると、機能選択領域２０００及びプレビュー領域３０００の前面に、機能リスト６０００が表示される。表示された機能リスト６０００には、お試しコピー機能を設定するための設定キー６００２Ｃが表示されていない。したがって、ユーザは、機能リスト６０００の右側に表示される垂直スクロールバー６００４を下方向に移動させて、機能リスト６０００の表示を下方向にスクロールさせる。これによって、機能リスト６０００には、設定キー６００２Ｃが表示されるようになる（図８参照）。
【００９５】
ユーザは、設定キー６００２Ｃを押下する。設定キー６００２Ｃが押下されると、設定キー６００２Ｃの周りには囲み枠（図示せず。）が表示され、設定キー６００２Ｃが選択された状態であることが示される。設定キー６００２Ｃが選択された状態であることを確認したユーザは、基本設定キー２０１８を押下する。
【００９６】
基本設定キー２０１８が押下されると、機能リスト６０００の表示が終了されるとともに、お試しコピー機能がオンに設定される。基本設定キー２０１８は消去され、キー２０１６は、アイコン化された状態から元の状態に戻る。また、システム領域１０００には、「お試しコピー中」という、お試しコピーモードであることを示す文字列１３００が表示される（ステップＳ２００）。
【００９７】
ユーザは、原稿載置台に印刷対象の原稿を載置するとともに、各種設定キー２１０２〜２１１６及び各種実行キー４１０２に対する入力操作によって、所望の機能の設定変更を行なう。ユーザはさらに、仮想テンキー群３１０２に対する入力操作によって所望のコピー部数を設定する。本実施の形態において、ユーザは、倍率自動選択機能及び自動一時保存機能をオンに設定するとともに、コピー部数を「１４」に設定する。表示パネル１３２には、設定変更後のコピー基本画面５００（図１３参照）が表示される。図１３を参照して、実行キー４１０２Ａ，４１０２Ｄ内には、所定のマークが表示される。また、背景領域３１０３内には、設定されたコピー部数を示す数値（この場合「１４」）３１０５が表示される。
【００９８】
所望のコピー部数の設定後、ユーザは、カラースタートキー５１０８を押下する。図１４を参照して、カラースタートキー５１０８が押下されると（ステップＳ２０１にてＹＥＳ）、背景領域３１０３内に表示されるコピー部数を表す数値は、１減少されて「１３」となる（ステップＳ２０４）。タスクトリガー領域５０００には、スタートキー５１０６及び５１０８に代えて、コピー中止キー５４００が表示される。このコピー中止キー５４００の近傍であって、スキャンインキー５１０２の前面には、「お試しコピー中です。１部コピー後、設定の変更ができます。」という、現在の処理状況を示すメッセージを含む吹出し画像５４０２が表示される（ステップＳ２０５）。
【００９９】
ＣＰＵ３００は、変数Ｍに「１」を代入する（ステップＳ２０６）。原稿読取部１０２及び画像形成部１０４等の画像形成装置１００の各部は、第１回目のお試しコピーを実行する（Ｓ２０７）。この第１回目のお試しコピーでは、原稿読取部１０２は、原稿載置台に載置された原稿に基づく画像データを読取る。ＣＰＵ３００は、読取られた画像データに対して、現在の設定内容に基づいて各種画像処理を施す。画像形成部１０４は、各種画像処理が施された画像データに基づくカラー画像を１部印刷する。原稿読取部１０２によって読取られ、画像処理が施された上記画像データは、記憶装置（例えば、図３に示すＲＡＭ３０８）に一時的に記憶される。
【０１００】
再び図１４を参照して、上記動作において、ユーザが、カラースタートキー５１０８ではなくモノクロスタートキー５１０６を押下した場合には（ステップＳ２０２にてＹＥＳ）、背景領域３１０３内に表示されるコピー部数を示す数値は、１減少されて「１３」となる（ステップＳ２０８）。タスクトリガー領域５０００には、スタートキー５１０６及び５１０８に代えて、コピー中止キー５４００が表示される。このコピー中止キー５４００の近傍であって、スキャンインキー５１０２の前面には、上記した吹出し画像５４０２が表示される（ステップＳ２０９）。
【０１０１】
ＣＰＵ３００は、変数Ｍに「０」を代入する（ステップＳ２１０）。原稿読取部１０２及び画像形成部１０４等の画像形成装置１００の各部は、第１回目のお試しコピーを実行する（ステップＳ２１１）。この第１回目のお試しコピーでは、原稿読取部１０２は、原稿載置台に載置された原稿に基づく画像データを読取る。ＣＰＵ３００は、読取られた画像データに対して、現在の設定内容に基づいて各種画像処理を施す。画像形成部１０４は、各種画像処理が施された画像データに基づくモノクロ画像を１部印刷する。原稿読取部１０２によって読取られ、画像処理が施された上記画像データは、記憶装置（例えば、図３に示すＲＡＭ３０８）に一時的に記憶される。
【０１０２】
なお、ユーザは、コピー中止キー５４００を押下することで、第１回目のお試しコピーを中止させることができる。また、ユーザは、スタートキー５１０６及び５１０８を押下することなく、クリアオールキー５１０４を押下することで（ステップＳ２０３にてＹＥＳ）、お試しコピー機能を含む全ての設定をデフォルト状態に戻し、表示パネル１３２に、コピー基本画面５００の初期画面（図５参照）を表示させることができる（ステップＳ２１２）。
【０１０３】
図１５を参照して、第１回目のお試しコピーが終了すると、タスクトリガー領域５０００には、コピー中止キー５４００に代えて印刷開始キー５５００が表示されるとともに、スキャンインキー５１０２に代えてお試しコピーキー５５０２が表示される。このお試しコピーキー５５０２の近傍であって、アクションパネル領域４０００の前面には、「現在のコピーでよければ［印刷開始］で残り部数を出力します。［お試しコピー］でもう一度お試しコピーします。」という、印刷開始キー５５００及びお試しコピーキー５５０２の説明を含む吹出し画像５５０４が表示される。
【０１０４】
第１回目のお試しコピーによって得たカラー画像又はモノクロ画像を確認したユーザは、設定し直したい機能がある場合には、再度、各種設定キー２１０２〜２１１６及び各種実行キー４１０２に対する入力操作によって、所望の機能の設定変更を行なう。本実施の形態では、ユーザは、コピー倍率を変更するために、設定キー２１０８を押下するものとする。
【０１０５】
図２０を参照して、設定キー２１０８が押下されると、機能選択領域２０００及びアクションパネル領域４０００の前面には、倍率設定画面７０００が表示される。この倍率設定画面７０００の表示に同期して、吹出し画像５５０４は縮小される。この吹出し画像５５０４の縮小は、機能選択領域２０００に表示される他の設定キーが押下された場合にも実行される。
【０１０６】
ユーザは、倍率設定画面７０００に対する入力操作によって所望のコピー倍率（本実施の形態では、７０％）を設定した後、倍率設定画面７０００に表示される閉じるボタン７００２を押下する。「閉じる」ボタン７００２が押下されると、コピー基本画面５００において、倍率設定画面７０００の表示が終了されるとともに、吹出し画像５５０４が縮小化された状態から元の状態（図１５の状態）に戻る。また、設定キー２１０８の表示には、設定変更した内容（コピー倍率が「７０％」であること）が反映される（図示せず。）。
【０１０７】
ユーザは、設定キー２１０８の表示に、設定変更した内容が反映されていることを確認した後、お試しコピーキー５５０２を押下する。お試しコピーキー５５０２が押下されると（ステップＳ３０１にてＹＥＳ）、原稿読取部１０２及び画像形成部１０４等の画像形成装置１００の各部は、変数Ｍの値に基づいて、第２回目のお試しコピーを実行する（ステップＳ３０２）。すなわち、原稿読取部１０２は、原稿載置台に載置された原稿に基づく画像データを読取る。ＣＰＵ３００は、読取られた画像データに対して、現在の設定内容に基づいて各種画像処理を施す。画像形成部１０４は、各種画像処理が施された画像データに基づくカラー画像（変数Ｍが「１」である場合）又はモノクロ画像（変数Ｍが「０」である場合）を１部印刷する。原稿読取部１０２によって読取られ、画像処理が施された上記画像データは、記憶装置（例えば、図３に示すＲＡＭ３０８）に一時的に記憶される。
【０１０８】
図１７を参照して、第２回目のお試しコピーの実行時には、機能選択領域２０００及びプレビュー領域３０００の前面には、「お試しコピー中です。１部コピー後、設定の変更ができます。」という、現在の処理状況を示すメッセージを含むウィンドウ８０００が表示される。お試しコピーキー５５０２及び印刷開始キー５５００は、グレーアウトし、使用不可能な状態となる。システム領域１０００には、現在印刷を実行中であることを示す文字列１２００と、印刷の中止を指示するための印刷中止キー１２０２と、が表示される。このとき、背景領域３１０３内に表示されるコピー部数を示す数値「１３」は変更されずに維持される。ユーザは、印刷中止キー１２０２を押下することで、第２回目のお試しコピーを中止させることができる。
【０１０９】
このようにして、ユーザは、納得のいくカラー画像又はモノクロ画像が得られるまで、上記と同様にしてお試しコピーを繰返し行なうことができる。本実施の形態では、ユーザは、第２回目のお試しコピーによって、納得のいくカラー画像又はモノクロ画像が得られたものとする。
【０１１０】
第２回目のお試しコピーが終了すると、コピー基本画面５００は、第２回目のお試しコピー開始直前の状態（図１５において、設定キー２１０８に「７０％」が表示されている状態）に戻る。すなわち、ウィンドウ８０００、文字列１２００、及び、印刷中止キー１２０２の表示が終了されるとともに、お試しコピーキー５５０２及び印刷開始キー５５００は、グレーアウトした状態から元の状態に戻る。
【０１１１】
ユーザは、印刷開始キー５５００を押下する。印刷開始キー５５００が押下されると（ステップＳ３０３にてＹＥＳ）、画像形成部１０４等の画像形成装置１００の各部は、変数Ｍの値に基づいて、残りの部数（本実施の形態では、１３部）の印刷を開始する（ステップＳ３０４）。残りの部数の印刷が開始されると、画像形成部１０４は、第２回目のお試しコピー時に記憶装置（例えば、図３に示すＲＡＭ３０８）に一時的に記憶された画像データに基づいて、第２回目のお試しコピー時の設定内容が反映されたカラー画像（変数Ｍが「１」の場合）又はモノクロ画像（変数Ｍが「０」の場合）を残りの部数分印刷する。
【０１１２】
図１８を参照して、残りの部数の印刷が開始されると、コピー基本画面５００において、機能選択領域２０００及びプレビュー領域３０００の前面には、「コピーを予約しました。」という、現在の処理状況を示すメッセージを含むウィンドウ９０００が表示される。お試しコピーキー５５０２及び印刷開始キー５５００は、グレーアウトして使用不可能な状態となる。システム領域１０００には、文字列１２００及び印刷中止キー１２０２が表示される。ユーザは、印刷中止キー１２０２を押下することで、残りの部数の印刷を中止させることができる。背景領域３１０３内に表示されるコピー部数を示す数値は、印刷が１部終了する毎に、１ずつ減少していく。
【０１１３】
図１９を参照して、残りの部数の印刷が開始されてから３秒が経過すると、コピー基本画面５００は、次の処理の実行予約が可能な状態に移行する。すなわち、ウィンドウ８０００及び「お試しコピー中」という文字列の表示が終了される。タスクトリガー領域５０００の表示は元の状態に戻り、スタートキー５１０６及び５１０８、並びに、スキャンインキー５１０２が表示される。背景領域３１０３内には、コピー部数を示す数値３１０５として「１」が表示される。文字列１２００及び印刷中止キー１２０２は表示されたままである。ユーザは、印刷中止キー１２０２を押下することで、残りの部数の印刷を中止させることができる。この画面の表示によって、ユーザは、印刷開始キーを押下してから３秒後には、次の印刷のための入力操作を行なうことができるようになる。
【０１１４】
残りの部数の印刷が全て完了すると（ステップＳ３０５にてＹＥＳ）、表示パネル１３２には、コピー基本画面５００の待機画面が表示される（ステップＳ３０６）。この待機画面は、図１９に示すコピー基本画面５００において、文字列１２００及び印刷中止キー１２０２の表示が終了した状態の画面である。
【０１１５】
なお、ユーザによって、お試しコピーキー５５０２及び印刷開始キー５５００が押下されることなくクリアオールキー５１０４が押下された場合には（ステップＳ３０７にてＹＥＳ）、全ての設定がデフォルト状態に戻され、表示パネル１３２には、コピー基本画面５００の初期画面（図５参照）が表示される（ステップＳ３０８）。
【０１１６】
また、本実施の形態において、３秒が経過したか否かの判断は、以下のようにして行なわれる。すなわち、印刷開始キー５５００が押下されると、ＣＰＵ３００は、タイマ（図示せず。）をセットして、印刷開始キー５５００が押下された後からの経過時間を計時する。そして、計測中の経過時間に基づいて、３秒が経過したか否かを判断する。
【０１１７】
〈作用・効果〉  
上記実施の形態によれば、操作ユニット１２０において、タッチパネルディスプレイ１３０は表示パネル１３２を有する。ＣＰＵ３００は、表示パネル１３２にスタートキー５１０６及び５１０８を表示させ、スタートキー５１０６又は５１０８に対する入力操作がなされたことに応答して、当該スタートキー５１０６又は５１０８に対応付けられる処理を起動する。ＣＰＵ３００はさらに、処理が起動されたことに応答して、スタートキー５１０６及び５１０８に対する入力操作を受付け不可能にし、処理が起動されてから所定時間が経過したときに、スタートキー５１０６又は５１０８に対する入力操作を受付け可能にする。
【０１１８】
このように、スタートキー５１０６又は５１０８に対応付けられる処理が起動されたことに応答して、スタートキー５１０６及び５１０８に対する入力操作が受付け不可能になり、処理が起動されてから所定時間が経過したときに、スタートキー５１０６及び５１０８に対する入力操作が受付け可能になる。したがって、ユーザは、処理の実行中においても、次の処理の開始指示、すなわち次の処理の実行予約を行なうことができる。その結果、ユーザの利便性が向上する。
【０１１９】
また上記実施の形態によれば、ＣＰＵ３００は、処理が起動されたことに応答して、表示パネル１３２に、スタートキー５１０６及び５１０８に代えて、コピー中止キー５２００又は５４００を表示させることで、スタートキー５１０６及び５１０８に対する入力操作を受付け不可能にする。ＣＰＵ３００は、コピー中止キー５２００又は５４００に対する入力操作がなされたことに応答して、処理の実行を中止させる。ＣＰＵ３００はさらに、コピー中止キー５２００又は５４００に対する入力操作がなされることなく、処理が起動されてから所定時間が経過したときに、表示パネル１３２に、コピー中止キー５２００又は５４００に代えて、スタートキー５１０６及び５１０８を表示させることで、スタートキー５１０６及び５１０８に対する入力操作を受付け可能にする。
【０１２０】
このように、スタートキー５１０６及び５１０８に対する入力操作を受付け不可能なとき、すなわち処理が起動されてから所定時間が経過するまでの間には、スタートキー５１０６及び５１０８に代えて、処理の実行を停止させるためのコピー中止キー５２００又は５４００が表示される。したがって、スタートキー５１０６又は５１０８に対する入力操作を行なったユーザは、容易に、処理の実行の中止を指示することができる。
【０１２１】
また上記実施の形態によれば、ＣＰＵ３００は、処理が起動されたことに応答して、スタートキーとして機能する印刷開始キー５５００及びお試しコピーキーをグレーアウトすることで、印刷開始キー５５００及びお試しコピーキー５５０２に対する入力操作を受付け不可能にする。ＣＰＵ３００はまた、処理が起動されたことに応答して、表示パネル１３２に印刷中止キー１２０２を表示させ、印刷中止キー１２０２に対する入力操作がなされたことに応答して、処理の実行を中止させる。ＣＰＵ３００はさらに、印刷中止キー１２０２に対する入力操作がなされることなく、処理が起動されてから所定時間が経過したときに、印刷開始キー５５００及びお試しコピーキー５５０２をスタートキー５１０６及び５１０８、並びにスキャンインキー５１０２に戻すことで、スタートキー５１０６及び５１０８に対する入力操作を受付け可能にする。これによって、ユーザは、印刷開始キー５５００及びお試しコピーキー５５０２に対する入力操作が受付け可能であるか否かを容易に知ることができる。また、ユーザは、処理の実行の停止を容易に指示することができる。
【０１２２】
また上記実施の形態によれば、スタートキー５１０６，５１０８，５５００及び５５０２、コピー中止キー５２００及び５４００、並びに、印刷中止キー１２０２は、表示パネル１３２の角部に表示される。これによって、ユーザは、上記した各種キー対する入力操作をより一層行ない易くなる。
【０１２３】
また上記実施の形態によれば、ＣＰＵ３００は、処理が起動されたことに応答して、表示面に、吹出し画像５２０２，５４０２若しくは５５０４、又は、ウィンドウ８０００若しくは９０００を表示させる。これによって、ユーザは、処理に関する情報を容易に知ることができる。
【０１２４】
また上記実施の形態によれば、吹出し画像５２０２又は５４０２は、コピー中止キー５２００又は５４００の近傍に表示される。これによって、ユーザは、処理に関する情報をより一層容易に知ることができる。
【０１２５】
また上記実施の形態によれば、画像形成装置１００は、上記した操作ユニット１２０と、操作ユニット１２０に接続され、操作ユニット１２０からの指示に応じて原稿の読取を行なって画像データに変換する原稿読取部１０２と、操作ユニット１２０及び原稿読取部１０２に接続され、操作ユニット１２０からの出力指示に応答して、原稿読取部１０２が出力する画像データに基づく画像を印刷する画像形成部１０４と、を含む。このように、画像形成装置１００は、上記した操作ユニット１２０を含むので、ユーザは、印刷処理の実行中においても、次の印刷処理の開始指示、すなわち印刷処理の開始予約を行なうことができる。したがって、ユーザの利便性が向上する。
【０１２６】
また上記実施の形態によれば、通常のコピー処理は、原稿読取部１０２による画像データの読取り処理、及び、読取処理に続いて実行される画像形成部１０４による印刷処理を含み、所定時間とは、原稿読取部１０２による原稿の読取りが完了するまでの時間である。これによって、ユーザは、原稿の読取りが完了した場合には、印刷処理の実行中においても、次の印刷処理の開始指示を行なうことができる。したがって、次の印刷処理の開始指示をより一層確実に行なうことができる。
【０１２７】
また上記実施の形態によれば、ＣＰＵ３００は、スタートキー５１０６又は５１０８に対する入力操作がなされたことに応答して、モノクロ印刷処理又はカラー印刷処理を起動する。これによって、ユーザは、モノクロ印刷処理又はカラー印刷処理の実行中においても、次のモノクロ印刷処理又はカラー印刷処理の開始指示を行なうことができる。したがって、ユーザの利便性がより一層向上する。
【０１２８】
なお、上記実施の形態においては、ユーザによって、コピー中止キー５２００若しくは５４００、又は、印刷中止キー１２０２が押下されると、対応する処理が中止されたが、本発明はそのような実施の形態に限定されない。例えば、対応する処理が一時停止される構成であってもよい。
【０１２９】
また上記実施の形態においては、画像データの読取りが完了した場合、又は、残りの部数の印刷が開始されてから３秒が経過した場合に、コピー基本画面５００は、次の処理の実行予約が可能な状態（スタートキーに対する入力操作が受付け可能な状態）に移行したが、本発明はそのような実施の形態に限定されない。例えば、操作ユニット１２０に対する入力操作によって、移行のタイミングを示す所定時間が予め設定されてもよい。これによって、ユーザは、スタートキー５１０６，５１０８，５５００及び５５０２に対する入力操作が受付け不可能になる時間を任意に設定することができる。
【０１３０】
今回開示された実施の形態は単に例示であって、この発明が上記した実施の形態のみに制限されるわけではない。この発明の範囲は、発明の詳細な説明の記載を参酌した上で、特許請求の範囲の各請求項によって示され、そこに記載された文言と均等の意味及び範囲内での全ての変更を含む。
【符号の説明】
【０１３１】
１００  画像形成装置
１０２  原稿読取部
１０４  画像形成部
１２０  操作ユニット
１３０  タッチパネルディスプレイ
１３２  表示パネル
３００  ＣＰＵ
５００  コピー基本画面
１２０２  印刷中止キー
５１０６  モノクロスタートキー
５１０８  カラースタートキー５１０８
５２００，５４００  コピー中止キー
５２０２，５４０２，５５０４  吹出し画像
５５００  印刷開始キー
５５０２  お試しコピーキー
８０００，９０００  ウィンドウ
【図１】
2018019430.tif 000003
【図２】
2018019430.tif 000004
【図３】
2018019430.tif 000005
【図４】
2018019430.tif 000006
【図５】
2018019430.tif 000007
【図６】
2018019430.tif 000008
【図７】
2018019430.tif 000009
【図８】
2018019430.tif 000010
【図９】
2018019430.tif 000011
【図１０】
2018019430.tif 000012
【図１１】
2018019430.tif 000013
【図１２】
2018019430.tif 000014
【図１３】
2018019430.tif 000015
【図１４】
2018019430.tif 000016
【図１５】
2018019430.tif 000017
【図１６】
2018019430.tif 000018
【図１７】
2018019430.tif 000019
【図１８】
2018019430.tif 000020
【図１９】
2018019430.tif 000021
【図２０】
2018019430.tif 000022